(57)【特許請求の範囲】
【請求項１】
両側壁を有するベースと、このベースを収容しかつ支持するカバーと、前記ベースの両側壁の一端側で、前記カバーに形成されたタング挿入口と、タングとのラッチを解除する操作手段とを少なくとも備えたバックルにおいて、
前記両側壁にそれぞれ、前記タング挿入口から挿入されるタングを案内するガイド部が前記両側壁の内側に突出するようにして設けられ、
前記操作手段は、前記タングが前記タング挿入口からバックルに挿入されたとき、前記タングの先端を前記ガイド部へ案内する一部を備えており、
前記タングが前記タング挿入口からこのタング挿入口で決まるバックルに対して最大限斜めに挿入されたときも、前記タングの先端が前記操作手段の一部により前記ガイド部の縁に当接することなく前記ガイド部に案内されることを特徴とするバックル。
【請求項２】
前記操作手段の一部が前記ガイド部の一部に長手方向にオーバラップされていることを特徴とする請求項１記載のバックル。
【請求項３】
請求項１または２記載のバックルとこのバックルに係合可能なタングとを備えていることを特徴とするシートベルト装置。
【発明の詳細な説明】
【０００１】
【発明の属する技術分野】
本発明は、自動車その他の交通機関の座席に装備されるシートベルト装置等の安全ベルト装置に用いられているバックルの技術分野に属するものである。
【０００２】
【従来の技術分野】
現在、自動車を始めとする各種交通機関の座席には、衝突等の緊急時に乗員を保護するためにシートベルト装置が取付けられている。この種のシートベルト装置を簡易に着脱するために、通常はバックルが設けられており、一般にこのバックルはタングをラッチするジョグル部を備えたラッチ部材をタングへのラッチ方向にばね付勢するようにして構成されている。
【０００３】
ところで、タングをバックルのタング挿入口から挿入したとき、タングの先端はバックルのベースの両側壁に設けられたガイド部によって案内されるようになっている。
図７は、このような従来のガイド部を模式的に示す図である。
図７に示すように、ベース７１の両側壁７１ａには、ガイド部７２が内側に突出するようにして形成されている。このガイド部７２は、タング７３が挿入されたとき、タング７３の先端がガイド部７２に案内されるようになっている。
【０００４】
【発明が解決しようとする課題】
しかしながら、このような従来のバックルでは、ガイド部７２の長手方向の長さが比較的短く形成されている。このため、図７に二点鎖線で示すように、タング７３をバックルに対して比較的大きく傾斜させて挿入させると、タング７３の先端がこのガイド部７２の縁に引っかかって、スムーズに挿入できない場合がある。このため、従来のバックルでは、タング７３の挿入フィーリングが必ずしも良好であるとはいえなかった。
本発明はこのような事情に鑑みてなされたものであり、その目的は、タングの挿入をより一層スムーズにして、挿入フィーリングを更に一層向上させることのできるバックルおよびこれを備えたシートベルト装置を提供することである。
【０００５】
【課題を解決するための手段】
前述の課題を解決するために、請求項１の発明は、両側壁を有するベースと、このベースを収容しかつ支持するカバーと、前記ベースの両側壁の一端側で、前記カバーに形成されたタング挿入口と、タングとのラッチを解除する操作手段とを少なくとも備えたバックルにおいて、前記両側壁にそれぞれ、前記タング挿入口から挿入されるタングを案内するガイド部が前記両側壁の内側に突出するようにして設けられ、前記操作手段が、前記タングが前記タング挿入口からバックルに挿入されたとき、前記タングの先端を前記ガイド部へ案内する一部を備えており、前記タングが前記タング挿入口からこのタング挿入口で決まるバックルに対して最大限斜めに挿入されたときも、前記タングの先端が前記操作手段の一部により前記ガイド部の縁に当接することなく前記ガイド部に案内されることを特徴としている。
【０００６】
また、請求項２の発明は、前記操作手段の一部が前記ガイド部の一部に長手方向にオーバラップされていることを特徴としている。
更に、請求項３の発明のシートベルト装置は、請求項１または２記載のバックルとこのバックルに係合可能なタングとを備えていることを特徴としている。
【０００７】
【作用】
このように構成された本発明に係るバックルにおいては、タングをタング挿入口からバックルの長手方向に対して斜めに挿入しても、タングの先端がガイド部の縁に当接することなく、ガイド部に確実に案内されてスムーズに挿入されるようになる。したがって、バックルを備えたシートベルト装置においては、乗員がシートに着座してタングをバックルに挿入するとき、このように斜めに挿入する場合が多いので、タングの挿入フィーリングが効果的に向上するようになる。
特に、操作手段の一部がタングの先端をガイド部へ案内するので、タングの先端がガイド部の縁に当接することなく、ガイド部に確実に案内されるようになる。これにより、タングの挿入フィーリングが更に一層効果的に向上するようになる。
【０００８】
特に、請求項２のバックルでは、操作手段の一部がガイド部の一部に長手方向にオーバラップされているので、タングの先端を操作手段の両側壁でガイド部の縁に当接することなく、ガイド部に確実に案内されるようになる。これにより、請求項２のバックルを備えたシートベルト装置では、タングの挿入フィーリングが更に一層効果的に向上するようになる。
【０００９】
【発明の実施の形態】
以下、図面を用いて、本発明の実施の形態について説明する。
図１は本発明に係るバックルの実施の形態の一例を示す分解斜視図、図２はこの例のバックルの、タングとの非ラッチ状態を示す断面図、図３はこの例のバックルの、タングとのラッチ状態を示す断面図、図４は、この例のベースの側壁に設けられたガイド孔、支持溝、およびガイド溝を示す図である。なお、以下の説明に使用されている右、左は、図面において右、左を表している。
【００１０】
図１ないし図４に示すように、この例のバックル１は、両側壁２ａ,２ｂと底部２ｃとを有するＵ字状フレームからなるベース２と、ベース２の両側壁２ａ,２ｂに回動可能に支架され、タング３にラッチ可能なラッチ部材４と、ベース２の両側壁２ａ,２ｂに移動可能に設けられ、タング３とラッチ部材４とのラッチ時にラッチ部材４のラッチ解除方向の移動を阻止するロックピン５と、ベース２の両側壁２ａ,２ｂに長手方向に移動可能に設けられた操作ボタン６と、ベース２の底部２ｃにベース２の長手方向に摺動可能に設けられ、タングをバックル１から離脱させる方向に付勢可能なエジェクタ７と、ロックピン５を保持するロックピン保持部８ａを有するスライダ８と、このスライダ８とラッチ部材４との間に縮設されてロックピン５がラッチ部材４の方へ押圧されるようにスライダ８を常時付勢するスライダスプリング９と、操作ボタン６を常時付勢するボタンスプリング１０と、エジェクタ７を常時付勢するエジェクタスプリング１１と、ベース２の両側壁２ａ,２ｂに回動可能にかつベース２の長手方向移動可能に支架され、タング３とラッチ部材４とのラッチ時にロックピン５がこのラッチの解除位置に慣性移動するのを阻止する慣性レバー部材１２と、ベース２の両側壁２ａ,２ｂに支架されて固定されたスプリングホルダ１３と、慣性レバー部材１２とスプリングホルダ１３との間に張設されたレバースプリング１４と、これらの構成部品が組み付けられたベース２を上下方向から覆って互いに係合するアッパーカバー１５およびロアカバー１６とから構成されている。
【００１１】
ベース２の両側壁２ａ,２ｂには、それぞれ、ラッチ部材４の回動軸４ａ,４ｂを回動可能に支持する支持溝２ｄ,２ｅと、ロックピン５の両端部を支持しかつ案内する凸状のガイド孔２ｆ,２ｇと、エジェクタ７のガイド溝７ａ,７ｂが摺動可能に嵌合されてエジェクタ７を長手方向に案内するガイドレール２ｈ（他の１つはガイドレール２ｈと長手方向軸に関して対称に設けられているが不図示）と、一方の側壁２ｂに設けられた、ボタンスプリング１０の一端を支持するスプリング支持部２ｉと、エジェクタスプリング１１の一端を支持するスプリング支持部２ｊと、慣性レバー部材１２の回転軸１２ａ,１２ｂを回動可能にかつ長手方向に移動可能に支持するとともに、操作ボタン５に押圧されることで慣性レバー部材１２を作動位置から非作動位置へ戻すための被押圧部１２ｃ,１２ｄを収容するガイド溝２ｋ,２ｍと、スプリングホルダ１３の取付部１３ａ,１３ｂが嵌合されて着脱可能に取り付けられる取付部２ｎ,２ｏと、タング３の挿入時にこのタング３を案内するガイド部２ｐ,２ｑとを備えている。
【００１２】
側壁２ｂに形成された支持溝２ｅ、凸状のガイド孔２ｇ、およびガイド溝２ｍは、図４に示す形状とされている。すなわち、支持溝２ｅはラッチ部材４の回動軸４ａ,４ｂを回動可能に支持する軸支持部２ｅ１を有している。また、凸状のガイド孔２ｇは、長手方向に延びる長手方向孔部２ｇ1と、この長手方向孔部２ｇ1の中間から上下方向に延びる上下方向孔部２ｇ2とからなっている。長手方向孔部２ｇ1の左端部の上部は、後述するようにロックピン５がロック位置（図４に二点差線で示す位置）にあるとき、このロックピン５を上方から抑えてロックピン５の上方移動を阻止するロックピン抑え部２ｇ3となっている。また、上下方向孔部２ｇ2の左端部は、後述するようにロックピン５が非ロック位置（図４に一点差線で示す位置）からロック位置の方へ移動するとき、あるいはその逆方向へ移動するときに、このロックピン５を案内するガイド部２ｇ4となっている。このガイド部２ｇ4は長手方向孔部２ｇ1から右方に傾斜する傾斜面に形成されている。ロックピン抑え部２ｇ3とガイド部２ｇ4との接続部は円弧状のＲ部２ｇ5とされており、このＲ部２ｇ5の径はできるだけ小さい方が望ましい。
【００１３】
更に、ガイド溝２ｍは、慣性レバー部材１２の回動軸１２ａ,１２ｂを支持する回動軸支持部２ｍ1と、非作動位置と作動位置のとの間の慣性レバー部材１２の回動時、図４に一点鎖線で示すようにその被押圧部１２ｄが通過可能な開口部２ｍ2と、慣性レバー部材１２が慣性移動したとき、図４に二点鎖線で示すように被押圧部１２ｄが当接し、慣性レバー部材１２の非作動位置方向への回動を阻止する回動阻止部２ｍ3とからなっている。
【００１４】
なお、図４には示されていないが、側壁２ａに形成された支持溝２ｄ、ガイド孔２ｆ、およびガイド溝２ｋも、それぞれ支持溝２ｅ、ガイド孔２ｇ、およびガイド溝２ｍと同じ形状に形成されており、以後の説明においては、各符号を図面には用いないが、長手方向孔部２ｆ1、上下方向孔部２ｆ2、ロックピン抑え部２ｆ3、ガイド部２ｆ4、およびＲ部２ｆ5と記載する。
【００１５】
タング３の挿入時にこのタング３を案内するガイド部２ｐ,２ｑは、それぞれ両側壁２ａ,２ｂの内側に突出するように、両側壁２ａ,２ｂを内側に凹ませただぼからなる長手方向に延びる突条として形成されている。図５（ａ）に示すように、ガイド部２ｐは側壁２ａの左端２ａ1から長手方向に延びていて、タング３がバックル１のタング挿入口１ａからバックル１の長手方向に対して斜めに挿入したとき、タング３の先端部３ｂが当接する、従来から設けられている位置まで延設されている。図５には図示しないが、ガイド部２ｑも同様に側壁２ｂに設けられている。
【００１６】
このように、ガイド部２ｐ,２ｑを設けることで、タング３をタング挿入口１ａからバックル１の長手方向に対して、タング挿入口１ａで決まる最大限斜めに挿入しても、タング３の先端部３ｂがガイド部２ｐ,２ｑに確実に案内されてスムーズに挿入できるようになる。したがって、乗員がシートに着座してタング３をバックル１に挿入するとき、このように斜めに挿入する場合が多いので、タング３の挿入フィーリングを効果的に向上させることができるようになる。更に、この例のバックル１では、操作ボタン６の後述する両側壁６ｂの右端が、タング３の挿入時にタング３の先端部３ｂをガイド部２ｐ,２ｑに案内する位置まで延設されている。すなわち、操作ボタン６の両側壁６ｂの一部がガイド部２ｐ,２ｑの一部と長手方向にオーバラップされている。これにより、タング３の先端部３ｂを操作ボタン６の両側壁６ｂでガイド部２ｐ,２ｑの縁に当接することなく、ガイド部２ｐ,２ｑに確実に案内されるようになるので、タング３の挿入フィーリングを更に一層効果的に向上させることができる。
【００１７】
ラッチ部材４は、タング３とラッチするジョグル部４ｃと、操作ボタン６によるタング３とバックル１とのラッチ解除時に、操作ボタン６の操作端と反対側の端部が当接してラッチ部材４がラッチ解除方向に押圧される解除操作力支持部４ｄ,４ｅと、スライダスプリング９の一端を支持するスプリング支持部４ｆとを更に備えている。このラッチ部材４は、タング３とラッチしない非ラッチ位置とタング３とラッチするラッチ位置とが設定されているとともに、この非ラッチ位置とラッチ位置との間で、回動軸４ａ,４ｂを中心に回動可能とされている。
【００１８】
ロックピン５は、その下端が常時ラッチ部材４の上面に当接されており、スライダスプリング９のばね力で設定されて、凸状のガイド孔２ｆ,２ｇの長手方向孔部２ｆ1,２ｇ1に位置し、タング３とラッチ部材４とのラッチ時にラッチ部材４をラッチ状態にロックする前述のロック位置と、操作ボタン６の解除操作力で設定されて、凸状のガイド孔２ｆ,２ｇの上下方向孔部２ｆ2,２ｇ2に位置し、ラッチ部材４をタング３とのラッチ解除状態にする、ロック位置より右方にある前述の非ロック位置とが設定されている。また、このロックピン５はその断面形状がほぼ矩形かまたは下辺が短いほぼ逆台形状に形成されている。そして、ロックピン５の１つの角部５ａが凸状のガイド孔２ｆ,２ｇの各ガイド部２ｆ4,２g4および各Ｒ部２ｆ5,２g5に常時当接しながら移動し、また、ロックピン５の上面５ｂが抑え部２ｆ3,２g3に当接しながら移動するようになっている。角部５ａはＲ部とされており、このＲ部の径はできるだけ小さい方が望ましい。
【００１９】
操作ボタン６は、長手方向かつ幅方向に延設された平板状部６ａと、この平板状部６ａの両側縁に平板状部６ａから折り曲げられて形成された両側壁６ｂ（他の１つは側壁６ｂと同様に設けられるが、不図示。以下、説明の便宜上、符号６ｂで両側壁を表す）と、長手方向中心から一側縁側寄りに偏心して設けられ、ボタンスプリング１０の他端を支持するスプリング支持部６ｃを備えている。その場合、図２および図３に示すように、操作ボタン６の一部は平板状部６ａおよび両側壁６ｂとからその横断面がほぼコ字状に形成されている。しかし、操作ボタン６の他部は平板状部６ａが慣性レバー部材１２の回転軸１２ａ,１２ｂの位置より右方へ延びて設けられているが、両側壁６ｂが前述のように、タング３の挿入時にタング３の先端部３ｂがガイド部２ｐ,２ｑに案内する位置までしか設けられていない。
【００２０】
更に、図１ないし図３には示されていないが、操作ボタン６の両側壁６ｂの内側には、慣性レバー部材１２の被押圧部１２ｃ,１２ｄを押圧して慣性レバー部材１２を作動位置から非作動位置へ回動させる、傾斜面からなる慣性レバー部材作動部が設けられている（図４に、慣性レバー部材作動部６ｄとして模式的に示されている）。同様に図１ないし図３には示されていないが、操作ボタン６の両側壁６ｂの内側には、ロックピン５の両端部を押圧してこのロックピン５をロック位置から非ロック位置へ移動させる、垂直面からなるロックピン作動部が設けられている（同様に図４に、ロックピン作動部６ｅとして模式的に示されている）。
【００２１】
そして、この例では、タング３とバックル１とのラッチ状態からラッチ解除操作のために操作ボタン６が解除操作されて右方へ移動したとき、まず、慣性レバー部材作動部６ｄが慣性レバー部材１２の被押圧部１２ｃ,１２ｄに当接してこれらの被押圧部１２ｃ,１２ｄを慣性レバー部材１２の非作動位置の方へ押し上げ、次いでロックピン作動部６ｅがロックピン５に当接してこのロックピン５をその非ロック位置の方へ移動するようになっている。
【００２２】
エジェクタ７は、長手方向中心に設けられ、ラッチ部材４のジョグル部４ｃの底部が当接するときにほぼ点接触する突条７ｃと、エジェクタスプリング１１の他端を支持するスプリング支持部７ｄとを更に備えている。
スライダ８は、スライダスプリング９の他端を支持するスプリング支持部８ｂを更に備えている。
【００２３】
慣性レバー部材１２は、タング３とバックル１とのラッチ時に、慣性によるロックピン５および操作ボタン６のラッチ解除位置への移動を阻止するショックプルーフシステムを構成している。この慣性レバー部材１２は、レバー１２ｅ,１２ｆと、重心Ｇがこれらのレバー１２ｅ,１２ｆとほぼ直交する位置に設定された質量体１２ｇ,１２ｈと、レバースプリング１４の一端を支持するスプリング支持部１２ｉとを更に備えている。その場合、質量体１２ｇ,１２ｈの質量は、慣性により質量体１２ｇ,１２ｈの重心Ｇに作用する慣性力による回動軸１２ａ,１２ｂまわりのモーメントが操作ボタン６がラッチ解除方向に移動してその慣性レバー部材作動部６ｄが慣性レバー部材１２の被押圧部１２ｃ,１２ｄを慣性レバー部材１２の非作動位置の方へ押し上げる力による回動軸１２ａ,１２ｂまわりのモーメントより大きくなるように設定されている。
【００２４】
スプリングホルダ１３は、レバースプリング１４の他端を支持するスプリング支持部１３ｃを更に備えている。
これらの部品のうち、操作ボタン６、エジェクタ７、スライダ８、スプリングホルダ１３、アッパーカバー１５、およびロアカバー１６は、それぞれ樹脂から製造されており、残りの他の部品はいずれも金属から製造されている。
更に、バックル１のベース２には、図示しないが公知のバックルプリテンショナーが連結されており、このバックルプリテンショナーは、車両衝突時等の緊急時に作動してベース２を右方に急速に引き込きみ、乗員をシートベルトによって迅速に拘束するようになっている。
【００２５】
次に、このような構成をしたこの例のバックル１のタング３とのラッチ作動および慣性レバー部材１２からなるショックプルーフシステムによる慣性抜け防止作動について説明する。
図６は、この例のバックルのタングとのラッチ作動およびラッチ状態での慣性抜け防止作動を説明し、（ａ）はタングがラッチされない非ラッチ状態を示す図、（ｂ）はタングがバックルにラッチされたラッチ状態を示す図、（ｃ）はバックルプリテンショナーによりバックルが引っ張られた時の状態を示す図、および（ｄ）はバックルプリテンショナーによるバックルの引張りの底突き時の状態を示す図である。なお、作動の説明の便宜上、図６においては、変則的に断面をとってあるとともに、説明の直接関係ない構成要素は一部図示を省略してある。
【００２６】
タング３がラッチされないバックル１の非ラッチ状態では、図２および図６（ａ）に示すようにエジェクタ７がエジェクタスプリング１１のばね力で左限位置に設定される。エジェクタ７のこの左限位置では、エジェクタ７はラッチ部材４のジョグル部４ｃを上方に押し上げ、ラッチ部材４のジョグル部４ｃの底部４ｃ1が、エジェクタ７の上面の突条７ｃにほぼ点接触で載った状態となる。この状態では、ラッチ部材４はタング３の挿入通路上からはずれ、タング３とラッチしない非ラッチ位置に設定される。また、このとき、ロックピン５はラッチ部材４の上面に当接してこのラッチ部材４によって押し上げられ、凸状のガイド孔２ｆ,２ｇの上下方向孔部２ｆ2,２ｇ2の非ロック位置に設定されている。更に、バックル１の非ラッチ状態では、慣性レバー部材１２のレバー１２ｅ,１２ｆがロックピン５の上に載った状態となっており、したがってロックピン５が非ロック位置に押し上げられることで、慣性レバー部材１２はそのレバー１２ｅ,１２ｆが図６（ａ）に点線で示す非作動位置となるように設定されている。また、レバースプリング１４のばね力により右方へ引っ張られることで、慣性レバー部材１２の回動軸１２ａ,１２ｂが２ｍ1に当接した状態となっている。
【００２７】
この図２および図６（ａ）に示すバックル１の非ラッチ状態から、バックル１の左端部のタング挿入口１ａからタング３が挿入されると、タング３の右端がエジェクタ７の左端に当接し、エジェクタ７が右方へ押圧される。すると、エジェクタ７は、タングの挿入に応じてエジェクタスプリング１１を縮小させながら右方へ移動するため、エジェクタ７の突条７ｃに載っていたラッチ部材４のジョグル部４ｃがエジェクタ７から外れる。すると、スライダスプリング９のばね力によりスライダ８を介してロックピン５が下方に押圧されていて、このロックピン５がラッチ部材４のジョグル部４ｃを押圧しているので、ラッチ部材４が回動軸４ａ,４ｂを中心に図において反時計方向に回動する。このため、ラッチ部材４のジョグル部４ｃがタング３の移動通路上に進入してタング３の係止孔３ａに嵌入し、ラッチ部材４はラッチ位置となる。そして、タング３の挿入力を解除すると、エジェクタスプリング１１のばね力でエジェクタ７がタング３の右端を押圧し、タング３の係止孔３ａの右端部がジョグル部４ｃに係合してタング３がバックル１にラッチされ、タング３とバックル１は図３および図６（ｂ）に示すラッチ状態となる。
【００２８】
このとき、スライダスプリング９のばね力により、ロックピン５は傾斜面のガイド部２ｇ4に案内されて上下方向孔２ｇ2を下方へ移動した後、長手方向孔２ｇ1に進入して左方へ移動しロック位置となる。このロックピン５のロック位置では、ロックピン５の上面が抑え部２ｇ3によって上方から抑えられるので、ロックピン５の上方移動が阻止される。これにより、ロックピン５はラッチ部材４をラッチ位置に保持するので、ラッチ部材４はタング３の係止孔３ａから抜け出ることはなく、タング３とバックル１とのラッチが堅固に保持される。
【００２９】
更に、このタング３とバックル１とのラッチ状態では、レバースプリング１４のばね力で慣性レバー部材１２のスプリング支持部１２ｉが引っ張られているので、慣性レバー部材１２が回動軸支持部２ｍ1に支持された回動軸１２ａ,１２ｂを中心に反時計方向に回動する。このため、図６（ｂ）に示すようにレバー１２ｅ,１２ｆの先端がロックピン５の非ロック位置への移動通路上に位置するとともに、被押圧部１２ｃ,１２ｄが開口部２ｋ2,２ｍ2を通過可能な位置となっていて、慣性レバー部材１２は作動位置となっている。この慣性レバー部材１２の作動位置では、ロックピン５が非ロック位置へ移動しようとしてもレバー１２ｅ,１２ｆに当接するので、ロックピン５は非ロック位置への移動が阻止される。
こうして、タング３はバックル１に確実にラッチされ、バックル１とタング３との解離が確実に防止される。
【００３０】
タング３とバックル１とのラッチを解除するために、操作ボタン６を右方へ押すと、操作ボタン６が右方へ移動して、前述のように、まずその慣性レバー部材作動部６ｄが慣性レバー部材１２の被押圧部１２ｃ,１２ｄを非作動位置の方へ押し上げるので、慣性レバー部材１２は被押圧部１２ｃ,１２ｄが開口部２ｋ2,２ｍ2を通るようにしてその回動軸１２ａ、１２ｂを中心に時計方向に回動する。このため、レバー１２ｅ,１２ｆの先端がロックピン５の長手方向移動通路より上方に移動する。
【００３１】
この状態で、更に操作ボタン６が右方へ移動すると、ロックピン作動部６ｅがロックピン５を右方へ移動する。ロックピン５が上下方向孔２ｇ2へ移動可能な位置までくると、ロックピン５は抑え部２ｇ3によって抑えられなくなるので、ラッチ部材４は回動軸４ａ,４ｂを中心として時計方向へ回動可能となる。このとき、ロックピン５はレバー１２ｅ,１２ｆの直下に位置している。ロックピン５が抑え部２ｇ3によって抑えられなくなることで、そして、エジェクタスプリング１１のばね力でエジェクタ７がラッチ解除方向に付勢されているので、エジェクタ７はラッチ部材４を上方にはね上げ、ラッチ部材４は回動軸４ａ,４ｂを中心として時計方向に回動し、ジョグル部４ｃがタング３の係止孔３ａから脱出すると同時に、タング３を左方向にプッシュアウトする。このとき、ロックピン５は、ラッチ部材４の時計まわりの回動とともにこのラッチ部材４におり押し上げられて上下方向孔２ｆ,２ｇ内に進入する。更に、ロックピン５はレバー１２ｅ,１２ｆを押し上げるので、慣性レバー部材１２は回動軸１２ａ、１２ｂを中心に時計方向に回動する。
【００３２】
そして、ラッチ部材４のジョグル部４ｃの底部４ｃ1がエジェクタ７の突条７ｃに載置し、最終的に、エジェクタ７が左限位置となり、またラッチ部材４が非ラッチ位置となり、更にロックピン５が非ロック位置となり、更に慣性レバー部材１２が非作動位置となって、バックル１はタング３が解離した図２および図６（ａ）に示す非ラッチ状態となる。
【００３３】
次に、慣性レバー部材１２からなるショックプルーフシステムの作動について説明する。
ベルト装着状態すなわち図３および図６（ｂ）に示すバックル１とタング３とのラッチ状態で、車両衝突時等の緊急時に、バックルプリテンショナーが作動すると、ベース２が右方に急速に引き込まれる。このため、バックル１には右向のきわめて大きな加速度が作用して、バックル１は左向きの大きな慣性力を受けるようになる。このとき、慣性レバー部材１２は左方向の移動および時計方向の回転が可能な状態となっている。したがって、バックルプリテンショナーによるバックル１の引き込み中は、図６（ｃ）に示すように慣性レバー部材１２のみがその重心Ｇに作用する慣性力によって左方に移動し、慣性レバー部材１２の被押圧部１２ｃ,１２ｄがすぐに回動阻止部２ｍ3の下に位置するようになる。このとき、質量体１２ｇ,１２ｈの重心Ｇに作用する慣性力で慣性レバー部材１２が時計まわりに回動しようとするが、被押圧部１２ｃ,１２ｄの先端が回動阻止部２ｍ3にあたり、この回動阻止部２ｍ3によってその回動が阻止される。
【００３４】
この状態で、バックルプリテンショナーのバックル引込終了による底突き時になると、大きな慣性力がバックル１の引き込み中とは逆方向（すなわち、右向き）に作用するようになる。このため、図６（ｄ）に示すように慣性レバー部材１２が右方へ移動し、その回動軸１２ａ,１２ｂが再び回動軸支持部２ｍ1に当接支持される。この状態で、操作ボタン６も慣性力により右方へ移動し、その慣性レバー部材作動部６ｄが被押圧部１２ｃ,１２ｄに当接して、その傾斜面でこれらの被押圧部１２ｃ,１２ｄを斜め上方に押圧する。このため、操作ボタン６の慣性力により、慣性レバー部材１２を時計まわりに回動させようとするモーメントが発生する。しかし、同時に、質量体１２ｇ,１２ｈの重心Ｇに作用する慣性力で、慣性レバー部材１２を反時計まわりに回動させようとするモーメントも発生するが、前述のように、この質量体１２ｇ,１２ｈの慣性力による反時計まわりのモーメントが、操作ボタン６の慣性力による時計まわりのモーメントより大きくなるように設定されているので、慣性レバー部材１２は回動しなく、レバー１２ｅ,12ｆは、底突き時にロックピン５の長手方向移動通路から抜け出ることが防止される。したがって、ロックピン５が底突き時の慣性力で右方すなわち非ロック位置へ移動しようとしても、ロックピン５はレバー１２ｅ,12ｆの先端に当接して非ロック位置に移動することは阻止される。こうして、タング３のバックルプリテンショナー作動による慣性抜けが防止され、タング３とバックル１とのラッチは確実にかつ堅固に保持されるようになる。
【００３５】
【発明の効果】
以上の説明から明らかなように、本発明のバックルおよびシートベルト装置によれば、タングをタング挿入口からバックルの長手方向に対して斜めに挿入しても、タングの先端を操作手段の一部によりガイド部の縁に当接することなくこのガイド部に確実に案内しているので、タングをスムーズに挿入できるようになる。
特に、乗員がシートに着座してタングをバックルに挿入するとき、前述のように斜めに挿入する場合が多いが、本発明のバックルを備えることでタングの挿入フィーリングをより効果的に向上させることができる。
【００３６】
特に、請求項２のバックルによれば、操作手段の一部をガイド部の一部に長手方向にオーバラップさせているので、タングの先端を操作手段の両側壁でガイド部に確実に案内できるようになる。
【図面の簡単な説明】
【図１】  本発明に係るバックルの実施の形態の一例を示す分解斜視図である。
【図２】  この例のバックルの、タングとの非ラッチ状態を示す断面図である。
【図３】  この例のバックルの、タングとのラッチ状態を示す断面図である。
【図４】  この例のベースの側壁に設けられたガイド孔、支持溝、およびガイド溝を示す図である。
【図５】  タングのバックルへの挿入時の状態を示し、（ａ）は長手方向に一部断面をとって部分的に示す図、（ｂ）は（ａ）におけるVB−VB線に沿う断面図である。
【図６】  この例のバックルのタングとのラッチ作動およびラッチ状態での慣性抜け防止作動を説明し、（ａ）はタングがラッチされない非ラッチ状態を示す図、（ｂ）はタングがバックルにラッチされたラッチ状態を示す図、（ｃ）はバックルプリテンショナーによりバックルが引っ張られた時の状態を示す図、および（ｄ）はバックルプリテンショナーによるバックルの引張りの底突き時の状態を示す図である。
【図７】  タングのバックルへの挿入時、タングの先端を案内する従来のガイド部を模式的に示す図である。
【符号の説明】
１…バックル、１ａ…タング挿入口、２…ベース、２ａ,２ｂ…側壁、２ｃ…底部、２ｄ,２ｅ…支持溝、２ｆ,２ｇ…ガイド孔、２ｉ…スプリング支持部、２ｋ,２ｍ…ガイド溝、２ｐ,２ｑ…ガイド部、３…タング、３ａ…係止孔、４…ラッチ部材、４ａ,４ｂ…回動軸、４ｃ…ジョグル部、５…ロックピン、６…操作ボタン、６ａ…平板状部、６ｂ…側壁、６ｃ…スプリング支持部、６ｄ…慣性レバー部材作動部、６ｅ…ロックピン作動部、７…エジェクタ、８…スライダ、９…スライダスプリング、１０…ボタンスプリング、１１…エジェクタスプリング、１２…慣性レバー部材、１２ａ,１２ｂ…回動軸、１２ｃ,１２ｄ…被押圧部、１２ｅ,１２ｆ…レバー、１４…レバースプリング、１５…アッパーカバー、１６…ロアカバー
【図１】
0003886087.tif 000002
【図２】
0003886087.tif 000003
【図３】
0003886087.tif 000004
【図４】
0003886087.tif 000005
【図５】
0003886087.tif 000006
【図６】
0003886087.tif 000007
【図７】
0003886087.tif 000008